(57)【特許請求の範囲】
【請求項１】
濾過装置本体（１）には、一方に濾過槽（２）を設け、該濾過槽（２）には、下部で連通する第１隔壁（１１）と第２隔壁（１１′）とで形成された第１循環槽（５）を設け、該第１循環槽（５）には、該第２隔壁（１１′）に隣接して第２循環槽（６）を設け、該第２循環槽（６）には、第３隔壁（１２）を介して隣接する第３循環槽（７）を設け、該第３循環槽（７）には、隣接して下部より流水する仕切壁（８）を設け、該仕切壁（８）には、隣接して殺菌槽（９）に設け、該殺菌槽（９）には、第４隔壁（１９）に隣接して貯水槽（４）に連通する殺菌槽付濾過装置において、該濾過槽（２）には、内部の濾材（１３）の下部に洗浄水を送る洗浄装置（１５）を設置し、該濾材（１３）には、上部に排水用樋（１７）を設け、該排水用樋（１７）より溢流する汚染を外部に排出する排水槽（３）を設け、該排水槽（３）に連通する該第１循環槽（５）と該第２循環槽（６）との間に設けた該第２隔壁（１１′）の高さ寸法を該排水用樋（１７）と同一の高さ寸法とし、且つ該第２循環槽（６）と該第３循環槽（７）との該第３隔壁（１２）の高さ寸法を該第２循環槽（６）の該第２隔壁（１１′）の高さ寸法より高い寸法に立設したことを特徴とした殺菌槽付濾過装置の石英管及び紫外線ランプの汚染防止装置。
【発明の詳細な説明】
【０００１】
【産業上の利用分野】
本発明は、濾過装置の内部に濾過槽と殺菌槽と貯水槽とを一体的に構成し、全体を小型化すると共に、設備と掃除を簡略にする殺菌槽付濾過装置の石英管及び紫外線ランプの汚染防止装置に関するものである。
【０００２】
【従来の技術】
近年、この種の殺菌装置付の濾過装置においては、取水ポンプによって海水を圧力によって濾過装置に送水され、送水された海水は、殺菌されて貯水槽より取水ポンプによって魚介類の水槽等に給水するものが知られている。然し、これ等の濾過装置を長期間使用すれば、装置内は埃が溜まり汚染されるものである。この時に濾過装置内に設けてある殺菌装置も当然に汚染されるため、掃除が大変に面倒な紫外線ランプ等の掃除及び交換等をしなければならない問題点がある。
【０００３】
【発明が解決しよとうする課題】
従来の技術で述べたものにおいては、殺菌装置が汚染された場合は、紫外線ランプと石英管との破損と交換及び掃除等をしなければならないために、出来るだけ汚染を防止することが必要である。
本発明のものは、この様な殺菌装置の汚染を防止するために大変に面倒で手間の係る交換及び掃除等に影響の濾過槽内を定期的に清掃する濾材の逆洗浄の際に発生する汚物の水位が殺菌装置の槽内に侵入するのを防止する所定の高さの隔壁を立設することによる殺菌槽付濾過装置の石英管及び紫外線ランプの汚染防止装置を提供するものである。
【０００４】
【課題を解決するための手段】
上記目的を達成するために、本発明によれば、濾過装置本体には、濾材を有する濾過槽と複数の循環槽と下部より流水する仕切壁を設けた殺菌槽を設ける。前記濾材の下部に洗浄水を送る洗浄装置を設け、該濾材を逆洗によって洗浄する場合は、濾材の溢流する排水用樋の高さの第２隔壁と、該排水用樋と第２隔壁の高さより殺菌槽に隣接する第３隔壁を高く立設し、洗浄の際の溢流した汚染水が該殺菌槽に侵入するのを防止することを目的としたものである。
【０００５】
【実施例】
本発明の実施例を図面について説明すると、濾過装置本体（１）には、一方に濾過槽（２）を設け、該濾過槽（２）には、下部で連通する第１隔壁（１１）と第２隔壁（１１′）とで形成された第１循環槽（５）を設け、該第１循環槽（５）には、該第２隔壁（１１′）に隣接して第２循環槽（６）を設け、該第２循環槽（６）には、第３隔壁（１２）を介して隣接する第３循環槽（７）を設け、該第３循環槽（７）には、隣接して下部より流水する仕切壁（８）を設け、該仕切壁（８）には、隣接して殺菌槽（９）に設け、該殺菌槽（９）には、第４隔壁（１９）に隣接して貯水槽（４）に連通してある。
【０００６】
前記濾過槽（２）には、内部に濾材（１３）を設け、該濾材（１３）の下部に多孔板（１４）を介して洗浄水を送る洗浄装置（１５）を装設し、該洗浄装置（１５）には、洗浄用ポンプ（１６）よりの送水管（２６）を連結してある。
【０００７】
次に、該濾材（１３）には、上部に排水用樋（１７）を設けると共に、該排水用樋（１７）より溢流する汚染物を外部に排出する排水槽（３）を隣接して設けてある。
【０００８】
該排水槽（３）には、隣接する第１循環槽（５）の第２隔壁（１１′）の高さ寸法を該排水用樋（１７）の高さの位置と同一高さに立設してある。
また、該第２隔壁（１１′）と隣接し、第２循環槽（６）より該殺菌槽（９）に流水する第３隔壁（１２）の高さを該排水用樋（１７）及び該第２隔壁（１１′）より高い寸法に立設してある。
【０００９】
次に、該排水槽（３）には、下部又は側方に汚染物質等を外部に排出する排水ポンプ（２０）と連通する排水管（２７）を連結してある。
更に、該貯水槽（４）には、濾過装置が運転状況の時に給水するバルブ（２２）を介した給水ポンプ（２４）より給水バルブ（２５）（２５）によって各種の魚介類に処理水として供給するものである。
【００１０】
また、該濾過槽（２）に海水等を供給する送水管（２６）には、取水ポンプ（２１）よりバルブ（２２）を介在して連結してある。
【００１１】
次に、符号（１８）は、殺菌槽（９）内に設けた石英管、紫外線ランプ（１０）を有する殺菌装置を示し、符号（２９）は、濾過装置本体（１）が運転使用中の安全性の水位を示し、（３０）は、濾過槽（２）の警報水位を示したものである。
【００１２】
【作用】
本発明は、上記の如き構成からなり、図１、図２は、本発明の展開図であって、本発明の汚染防止装置の用法を説明すると、濾材（１３）内に汚泥が積層し、濾過が困難となった場合、先ず、取水ポンプ（２１）を閉弁し、送水管（２６）からの循環水の流水を停止し、洗浄用ポンプ（１６）を開弁して洗浄装置（１５）を作動させて、濾材（１３）を逆流して内部の汚泥を浮上溢出させ、排水用樋（１７）を経て同時に開弁してある排水ポンプ（２０）より外部に排出される。この時、汚泥の一部が第２隔壁（１１′）をオーバーして第２循環槽（６）に流入するが、次の第３隔壁（１２）が排水用樋（１７）と該第２隔壁（１１′）より高く立設してあるので、隣接する第３循環槽（７）及び連通している殺菌槽（９）に侵入することがない。従って、殺菌槽（９）の石英管、紫外線ランプ（１０）が汚泥によって汚染されることを防止するものである。
【００１３】
次に、本発明の濾過装置を通常の様に使用する場合は、海水等を取水ポンプ（２１）の作動によりバルブ（２２）を経て送水管（２６）により濾過槽（２）の通常の水位（２９）まで注入し、濾過されながら、下降し底部より隣接している第１循環槽（５）、第２循環槽（６）、第３循環槽（７）を流水し、高い該第３隔壁（１２）を越えて仕切壁（８）の下部を通り殺菌層（９）を経て貯水槽（４）に流出し、該貯水槽（４）内の石英管、紫外線ランプ（１０）により殺菌された海水は一定水温としてバルブ（２２）を経て取水ポンプ（２４）より給水バルブ（２５）…によって各種の水槽に供給するものである。
【００１４】
【発明の効果】
本発明は、以上説明した如く、濾過装置本体に濾過槽と殺菌槽とを一体に構成した欠点である殺菌装置の故障、破損及び掃除等の手間と面倒が係る諸問題を極力防止できる効果と、濾材の洗浄による汚泥は、高く立設した第３隔壁によって確実に殺菌槽内に侵入することがない効果がある。そして、殺菌槽に汚泥が侵入しないので内部の石英管、紫外線ランプは汚染されず、長期間に亘って使用できると共に、掃除等によって破損しやすい各ランプを充分に保護できると云う従来にない優れた効果がある。
【図面の簡単な説明】
【図１】  本発明の濾過装置本体の展開配置した上面図である。
【図２】  同じく本発明の展開した配列循環した工程を示し簡略した縦断側面図である。
【図３】  本発明の図１の展開図のＡ−Ａ線の縦断側面図である。
【符号の説明】
１          濾過装置本体
２          濾過槽
３          排水槽
４          貯水槽
５          第１循環槽
６          第２循環槽
７          第３循環槽
８          仕切壁
９          殺菌槽
１０        石英管、紫外線ランプ
１１        第１隔壁
１１′      第２隔壁
１２        第３隔壁
１３        濾材
１４        多孔板
１５        洗浄装置
１６        洗浄用ポンプ
１７        排水用樋
１８        殺菌装置
１９        第４隔壁
２０        排水ポンプ
２４        取水ポンプ
２２        バルブ
２４        取水ポンプ
２５        給水バルブ
２６        送水管
２７        排水管
２９        水位
３０        警報水位
【図１】
0003707458.tif 000002
【図２】
0003707458.tif 000003
【図３】
0003707458.tif 000004